(57)【要約】本願の実施例は、無線通信の技術分野に関し、特にデータ送信方法、データ受信方法、システム及び機器に関するものであり、従来技術における以下の問題を解決する。即ち、動的上り／下りリンクサブフレーム変化の場合に、システム情報により、あるサブフレームが特殊サブフレームであると設定される一方で、当該サブフレームが下りリンクサブフレームに動的に変化すると、伝統的なユーザ機器のデータ受信に影響を与えないために、ページング、システムメッセージなど共通情報のデータ受信は、特殊サブフレームフォーマットに基づき行われなければならず、新しいバージョンのユーザ機器のデータ受信時の資源利用率を明らかに低下させる。本願の実施例によるデータ受信方法は、ユーザ機器が、動的サブフレームに関する第１設定情報とシステム情報のうちの第２設定情報を確定することと、前記ユーザ機器が、前記第１設定情報と前記第２設定情報に基づき、データ受信をすることとを含む。本願実施例の提案を採用すれば、データ受信時の資源利用率を向上させることができる。【選択図】図７
2016535526.tif 000002
【特許請求の範囲】
【請求項１】
ユーザ機器が、動的サブフレームに関する第１設定情報とシステム情報のうちの第２設定情報を確定することと、
前記ユーザ機器が、前記第１設定情報と前記第２設定情報に基づき、データ受信をすることとを含むことを特徴とするデータ受信方法。
【請求項２】
前記ユーザ機器が前記第１設定情報と前記第２設定情報に基づきデータ受信をすることは、
前記ユーザ機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとしてデータ受信をし、
又は、
前記ユーザ機器が、一つのサブフレームについて、前記第１設定情報に基づき特殊サブフレームであると確定し、前記第２設定情報に基づき下りリンクサブフレームであると確定する場合に、当該サブフレームを特殊サブフレームとしてデータ受信をし、
又は、
前記ユーザ機器が、一つのサブフレームについて、前記第１設定情報に基づき特殊サブフレームであると確定し、前記第２設定情報に基づき特殊サブフレームであると確定する場合に、当該サブフレームを特殊サブフレームとしてデータ受信をし、
又は、
前記ユーザ機器が、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとしてデータ受信をすることを含むことを特徴とする請求項１に記載の方法。
【請求項３】
前記ユーザ機器が当該サブフレームを下りリンクサブフレームと特殊サブフレームとしてデータ受信をすることは、
前記ユーザ機器が、当該サブフレームの第１資源のうちの全てのシンボル及び当該サブフレームの第２資源のうちの特殊サブフレームフォーマットの下りリンクシンボルによって、データ受信をすることを含むことを特徴とする請求項２に記載の方法。
【請求項４】
前記ユーザ機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとしてデータ受信をする前に、
前記ユーザ機器が、当該サブフレームを下りリンクサブフレームとしてデータ受信をするとのネットワーク側機器による設定を確定することをさらに含み、
前記ユーザ機器が、一つのサブフレームについて、前記第１設定情報に基づき特殊サブフレームであると確定し、前記第２設定情報に基づき特殊サブフレームであると確定する場合に、当該サブフレームを特殊サブフレームとしてデータ受信をする前に、
前記ユーザ機器が、当該サブフレームを特殊サブフレームとしてデータ受信をするとの前記ネットワーク側機器による設定を確定することをさらに含み、
前記ユーザ機器が、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとしてデータ受信をする前に、
前記ユーザ機器が、当該サブフレームを下りリンクサブフレームと特殊サブフレームとしてデータ受信をするとの前記ネットワーク側機器による設定を確定することをさらに含むことを特徴とする請求項２又は３に記載の方法。
【請求項５】
前記ユーザ機器が、上り／下りリンクサブフレーム設定に基づくデータ受信との前記ネットワーク側機器による設定の確定後に、前記第２設定情報に基づきデータ受信をし、
又は、
前記ユーザ機器が、動的サブフレーム設定に基づくデータ受信との前記ネットワーク側機器による設定の確定後に、前記第１設定情報に基づきデータ受信をすることをさらに含むことを特徴とする請求項４に記載の方法。
【請求項６】
前記第１設定情報は、前記第２設定情報により設定される下りリンクサブフレームを特殊サブフレームに変更させる情報及び／又は前記第２設定情報により設定される特殊サブフレームを下りリンクサブフレームに変更させる情報を含むことを特徴とする請求項１〜５のいずれか一項に記載の方法。
【請求項７】
ネットワーク側機器が、ユーザ機器に対応した、動的サブフレームに関する第１設定情報と、前記ユーザ機器に対応した、システム情報のうちの第２設定情報を確定することと、
前記ネットワーク側機器が、前記第１設定情報と前記第２設定情報に基づき前記ユーザ機器にデータ送信をすることとを含むことを特徴とするデータ送信方法。
【請求項８】
前記ネットワーク側機器が前記第１設定情報と前記第２設定情報に基づき前記ユーザ機器にデータ送信をすることは、
前記ネットワーク側機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとして前記ユーザ機器にデータ送信をし、
又は、
前記ネットワーク側機器が、一つのサブフレームについて、前記第１設定情報に基づき特殊サブフレームであると確定し、前記第２設定情報に基づき下りリンクサブフレームであると確定する場合に、当該サブフレームを特殊サブフレームとして前記ユーザ機器にデータ送信をし、
又は、
前記ネットワーク側機器が、一つのサブフレームについて、前記第１設定情報に基づき特殊サブフレームであると確定し、前記第２設定情報に基づき特殊サブフレームであると確定する場合に、当該サブフレームを特殊サブフレームとして前記ユーザ機器にデータ送信をし、
又は、
前記ネットワーク側機器が、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとして前記ユーザ機器にデータ送信をすることを含むことを特徴とする請求項７に記載の方法。
【請求項９】
前記ネットワーク側機器が当該サブフレームを下りリンクサブフレームと特殊サブフレームとして前記ユーザ機器にデータ送信をすることは、
前記ネットワーク側機器が、当該サブフレームの第１資源のうちの全てのシンボル及び当該サブフレームの第２資源のうちの特殊サブフレームフォーマットの下りリンクシンボルによって、前記ユーザ機器にデータ送信をすることを含むことを特徴とする請求項８に記載の方法。
【請求項１０】
前記ネットワーク側機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとして前記ユーザ機器にデータ送信をする前に、
前記ネットワーク側機器が、当該サブフレームを下りリンクサブフレームとしてデータ受信をするように前記ユーザ機器に対し設定することをさらに含み、
前記ネットワーク側機器が、一つのサブフレームについて、前記第１設定情報に基づき特殊サブフレームであると確定し、前記第２設定情報に基づき下りリンクサブフレームであると確定する場合に、当該サブフレームを特殊サブフレームとして前記ユーザ機器にデータ送信をする前に、
前記ネットワーク側機器が、当該サブフレームを特殊サブフレームとしてデータ受信をするように前記ユーザ機器に対し設定することをさらに含み、
前記ネットワーク側機器が、一つのサブフレームについて、前記第１設定情報に基づき特殊サブフレームであると確定し、前記第２設定情報に基づき特殊サブフレームであると確定する場合に、当該サブフレームを特殊サブフレームとして前記ユーザ機器にデータ送信をする前に、
前記ネットワーク側機器が、当該サブフレームを下りリンクサブフレームと特殊サブフレームとしてデータ受信をするように前記ユーザ機器に対し設定することをさらに含むことを特徴とする請求項８又は９に記載の方法。
【請求項１１】
前記ネットワーク側機器が、前記ユーザ機器が前記第２設定情報に基づきデータ受信をするように、上り／下りリンクサブフレーム設定に基づくデータ受信を前記ユーザ機器に対し設定し、
又は、
前記ネットワーク側機器が、前記ユーザ機器が前記第１設定情報に基づきデータ受信をするように、動的サブフレーム設定に基づくデータ受信を前記ユーザ機器に対し設定することをさらに含むことを特徴とする請求項１０に記載の方法。
【請求項１２】
前記第１設定情報は、前記第２設定情報により設定される下りリンクサブフレームを特殊サブフレームに変更させる情報及び／又は前記第２設定情報により設定される特殊サブフレームを下りリンクサブフレームに変更させる情報を含むことを特徴とする請求項７〜１１のいずれか一項に記載の方法。
【請求項１３】
データ受信をするユーザ機器において、
動的サブフレームに関する第１設定情報とシステム情報のうちの第２設定情報を確定するための第１確定モジュールと、
前記第１設定情報と前記第２設定情報に基づきデータ受信をするための受信モジュールとを含むことを特徴とするユーザ機器。
【請求項１４】
前記受信モジュールは、具体的に、
一つのサブフレームについて、前記第１設定情報に基づき下りリンクサブフレームであると確定し、前記第２設定情報に基づき下りリンクサブフレームであると確定する場合に、当該サブフレームを下りリンクサブフレームとしてデータ受信をし、
又は、
一つのサブフレームについて、前記第１設定情報に基づき特殊サブフレームであると確定し、前記第２設定情報に基づき下りリンクサブフレームであると確定する場合に、当該サブフレームを特殊サブフレームとしてデータ受信をし、
又は、
一つのサブフレームについて、前記第１設定情報に基づき特殊サブフレームであると確定し、前記第２設定情報に基づき特殊サブフレームであると確定する場合に、当該サブフレームを特殊サブフレームとしてデータ受信をし、
又は、
一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとしてデータ受信をすることを特徴とする請求項１３に記載のユーザ機器。
【請求項１５】
前記受信モジュールは、具体的に、
当該サブフレームの第１資源のうちの全てのシンボル及び当該サブフレームの第２資源のうちの特殊サブフレームフォーマットの下りリンクシンボルによって、データ受信をすることを特徴とする請求項１４に記載のユーザ機器。
【請求項１６】
前記受信モジュールは、さらに、
当該サブフレームを下りリンクサブフレームとしてデータ受信をするとのネットワーク側機器による設定の確定後に、前記ユーザ機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとしてデータ受信をし、
又は、
当該サブフレームを特殊サブフレームとしてデータ受信をするとの前記ネットワーク側機器による設定の確定後に、前記ユーザ機器が、一つのサブフレームについて、前記第１設定情報に基づき特殊サブフレームであると確定し、前記第２設定情報に基づき特殊サブフレームであると確定する場合に、当該サブフレームを特殊サブフレームとしてデータ受信をし、
又は、
当該サブフレームを下りリンクサブフレームと特殊サブフレームとしてデータ受信をするとの前記ネットワーク側機器による設定の確定後に、前記ユーザ機器が、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとしてデータ受信をすることを特徴とする請求項１４又は１５に記載のユーザ機器。
【請求項１７】
前記受信モジュールは、さらに、
上り／下りリンクサブフレーム設定に基づくデータ受信との前記ネットワーク側機器による設定の確定後に、前記第２設定情報に基づきデータ受信をし、
又は、
動的サブフレーム設定に基づくデータ受信との前記ネットワーク側機器による設定の確定後に、前記第１設定情報に基づきデータ受信をすることを特徴とする請求項１６に記載のユーザ機器。
【請求項１８】
前記第１設定情報は、前記第２設定情報により設定される下りリンクサブフレームを特殊サブフレームに変更させる情報及び／又は前記第２設定情報により設定される特殊サブフレームを下りリンクサブフレームに変更させる情報を含むことを特徴とする請求項１３〜１７のいずれか一項に記載のユーザ機器。
【請求項１９】
データ送信をするネットワーク側機器において、
ユーザ機器に対応した、動的サブフレームに関する第１設定情報と、前記ユーザ機器に対応した、システム情報のうちの第２設定情報を確定するための第２確定モジュールと、
前記第１設定情報と前記第２設定情報に基づき前記ユーザ機器にデータ送信をするための送信モジュールとを含むことを特徴とするネットワーク側機器。
【請求項２０】
前記送信モジュールは、具体的に、
一つのサブフレームについて、前記第１設定情報に基づき下りリンクサブフレームであると確定し、前記第２設定情報に基づき下りリンクサブフレームであると確定する場合に、当該サブフレームを下りリンクサブフレームとして前記ユーザ機器にデータ送信をし、
又は、
一つのサブフレームについて、前記第１設定情報に基づき特殊サブフレームであると確定し、前記第２設定情報に基づき下りリンクサブフレームであると確定する場合に、当該サブフレームを特殊サブフレームとして前記ユーザ機器にデータ送信をし、
又は、
一つのサブフレームについて、前記第１設定情報に基づき特殊サブフレームであると確定し、前記第２設定情報に基づき特殊サブフレームであると確定する場合に、当該サブフレームを特殊サブフレームとして前記ユーザ機器にデータ送信をし、
又は、
一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとして前記ユーザ機器にデータ送信をすることを特徴とする請求項１９に記載のネットワーク側機器。
【請求項２１】
前記送信モジュールは、具体的に、
当該サブフレームの第１資源のうちの全てのシンボル及び当該サブフレームの第２資源のうちの特殊サブフレームフォーマットの下りリンクシンボルによって、前記ユーザ機器にデータ送信をすることを特徴とする請求項２０に記載のネットワーク側機器。
【請求項２２】
前記送信モジュールは、さらに、
当該サブフレームを下りリンクサブフレームとしてデータ受信をするように前記ユーザ機器に対し設定した後に、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとして前記ユーザ機器にデータ送信をし、
又は、
当該サブフレームを特殊サブフレームとしてデータ受信をするように前記ユーザ機器に対し設定した後に、一つのサブフレームについて、前記第１設定情報に基づき特殊サブフレームであると確定し、前記第２設定情報に基づき下りリンクサブフレームであると確定する場合に、当該サブフレームを特殊サブフレームとして前記ユーザ機器にデータ送信をし、
又は、
当該サブフレームを下りリンクサブフレームと特殊サブフレームとしてデータ受信をするように前記ユーザ機器に対し設定した後に、一つのサブフレームについて、前記第１設定情報に基づき特殊サブフレームであると確定し、前記第２設定情報に基づき特殊サブフレームであると確定する場合に、当該サブフレームを特殊サブフレームとして前記ユーザ機器にデータ送信をすることを特徴とする請求項２０又は２１に記載のネットワーク側機器。
【請求項２３】
前記送信モジュールは、さらに、
前記ユーザ機器が前記第２設定情報に基づきデータ受信をするように、上り／下りリンクサブフレーム設定に基づくデータ受信を前記ユーザ機器に対し設定し、
又は、
前記ユーザ機器が前記第１設定情報に基づきデータ受信をするように、動的サブフレーム設定に基づくデータ受信を前記ユーザ機器に対し設定することを特徴とする請求項２２に記載のネットワーク側機器。
【請求項２４】
前記第１設定情報は、前記第２設定情報により設定される下りリンクサブフレームを特殊サブフレームに変更させる情報及び／又は前記第２設定情報により設定される特殊サブフレームを下りリンクサブフレームに変更させる情報を含むことを特徴とする請求項１９〜２３のいずれか一項に記載のネットワーク側機器。
【請求項２５】
ネットワーク側機器とユーザ機器とを含むデータ受信システムであって、
ネットワーク側機器は、
ユーザ機器に対応した、動的サブフレームに関する第１設定情報と、前記ユーザ機器に対応した、システム情報のうちの第２設定情報を確定し、
前記第１設定情報と前記第２設定情報に基づき前記ユーザ機器にデータ送信をし、
ユーザ機器は、
動的サブフレームに関する第１設定情報とシステム情報のうちの第２設定情報を確定し、
前記第１設定情報と前記第２設定情報に基づき、データ受信をすることを特徴とするデータ受信システム。
【発明の詳細な説明】
【技術分野】
【０００１】
本願は、２０１３年９月２３日に中国特許庁に提出された中国特許出願２０１３１０４３６１１８．４（発明の名称：「データ送信方法、受信方法、システム及び機器」）の優先権を主張し、その全ての内容が援用により本願に取り込まれる。
【０００２】
本発明は、無線通信の技術分野に関し、特にデータ送信方法、受信方法、システム及び機器に関する。
【背景技術】
【０００３】
第三世代の移動体通信システム及びＬＴＥ（Ｌｏｎｇ  Ｔｅｒｍ  Ｅｖｏｌｕｔｉｏｎ）において、時分割複信ＴＤＤ（Ｔｉｍｅ  Ｄｉｖｉｓｉｏｎ  Ｄｕｐｌｅｘ）方式での動的上り／下りリンクサブフレームの切替をサポートする必要がある。このような動的上り／下りリンクサブフレームの切替は、ネットワークにおける上り／下りリンクのデータ伝送需要をさらに精確に整合させることができ、ネットワークの伝送速度を向上させ、遅延を低下させる。
【０００４】
従来のＬＴＥシステムは、時分割複信方式において、チャネル資源がタイムドメインで一連の無線フレームに分割され、各フレームの内部がさらに複数のサブフレーム（例えば１０個のサブフレーム）に分割される。従来の時分割複信システムにおいて、システム情報により、１つの無線フレーム内部の上りリンクサブフレームと下りリンクサブフレームの設定比率が設定される。図１に示すように、初期のシステム情報により、上りリンクサブフレームと下りリンクサブフレームの設定比率＃０であると示される。ある無線フレームＫの前に、ネットワークは、上りリンクと下りリンクのデータ送信需要量の状況に応じて、「切替１」を経て設定比率＃５に切り替えて、より多くの下りリンクサブフレームの設定が実現される。ある無線フレームＫ＋Ｍにおいて、「切替２」を経て設定比率＃０に切り替えて、より多くの上りリンクサブフレームの設定が実現される。
【０００５】
従来のシステムにおいて、ユーザ機器は、１つの現在サブフレーム構造の仮説に基づきデータを受信する。例えば、現在サブフレームが下りリンクサブフレームである場合に、下りリンク受信に用いるシンボルが計１４個あると仮説するが、現在サブフレームが特殊サブフレームである場合に、ハイレイヤのシグナリングにおける特殊サブフレーム設定に基づき、受信シンボル個数を確定する。
【０００６】
動的上り／下りリンクサブフレーム変化の場合に、システム情報により、あるサブフレームが特殊サブフレームであると設定される一方で、当該サブフレームが下りリンクサブフレームに動的に変化すると、新しいバージョンのユーザ機器は、動的に変化するサブフレームの設定を取得できる。しかし、伝統的なユーザ機器のデータ受信に影響を与えないために、ページング、システムメッセージなど共通情報のデータ受信は、特殊サブフレームフォーマットに基づき行われなければならない。これにより、新しいバージョンのユーザ機器のデータ受信時の資源利用率を明らかに低下させる。
【発明の概要】
【０００７】
従来技術において、以下の問題が存在する。即ち、動的上り／下りリンクサブフレーム変化の場合に、システム情報により、あるサブフレームが特殊サブフレームであると設定される一方で、当該サブフレームが下りリンクサブフレームに動的に変化すると、伝統的なユーザ機器のデータ受信に影響を与えないために、ページング、システムメッセージなど共通情報のデータ受信は、特殊サブフレームフォーマットに基づき行われなければならず、新しいバージョンのユーザ機器のデータ受信時の資源利用率を明らかに低下させる。この問題を解決するために、本発明は、データ送信方法、データ受信方法、システム及び機器を提供する。
【０００８】
本発明の実施例によるデータ受信方法は、ユーザ機器が、動的サブフレームに関する第１設定情報とシステム情報のうちの第２設定情報を確定することと、前記ユーザ機器が、前記第１設定情報と前記第２設定情報に基づき、データ受信をすることとを含む。
【０００９】
本発明の実施例のユーザ機器は、動的サブフレームに関する第１設定情報とシステム情報のうちの第２設定情報に基づきデータ受信をするため、ユーザ機器にとって第２設定情報が既知である上で、同一サブフレーム内で、異なるフレーム構造に基づきデータ受信をし、データ受信時の資源利用率が向上する。
【００１０】
前記ユーザ機器が前記第１設定情報と前記第２設定情報に基づきデータ受信をすることは、前記ユーザ機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとしてデータ受信をすること、又は、前記ユーザ機器が、一つのサブフレームについて、前記第１設定情報に基づき特殊サブフレームであると確定し、前記第２設定情報に基づき下りリンクサブフレームであると確定する場合に、当該サブフレームを特殊サブフレームとしてデータ受信をすること、又は、前記ユーザ機器が、一つのサブフレームについて、前記第１設定情報に基づき特殊サブフレームであると確定し、前記第２設定情報に基づき特殊サブフレームであると確定する場合に、当該サブフレームを特殊サブフレームとしてデータ受信をすること、又は、前記ユーザ機器が、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとしてデータ受信をすることを含むことが好ましい。
【００１１】
本発明の実施例のユーザ機器は、動的サブフレームに関する第１設定情報とシステム情報のうちの第２設定情報に基づき、サブフレームを下りリンクサブフレーム及び／又は特殊サブフレームとしてデータ受信をするため、データ受信時の資源利用率が向上する。
【００１２】
前記ユーザ機器が当該サブフレームを下りリンクサブフレームと特殊サブフレームとしてデータ受信をすることは、前記ユーザ機器が、当該サブフレームの第１資源のうちの全てのシンボル及び当該サブフレームの第２資源のうちの特殊サブフレームフォーマットの下りリンクシンボルによって、データ受信をすることを含むことが好ましい。
【００１３】
前記ユーザ機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとしてデータ受信をする前に、前記ユーザ機器が、当該サブフレームを下りリンクサブフレームとしてデータ受信をするとの前記ネットワーク側機器による設定を確定することをさらに含み、前記ユーザ機器が、一つのサブフレームについて、前記第１設定情報に基づき特殊サブフレームであると確定し、前記第２設定情報に基づき特殊サブフレームであると確定する場合に、当該サブフレームを特殊サブフレームとしてデータ受信をする前に、前記ユーザ機器が、当該サブフレームを特殊サブフレームとしてデータ受信をするとの前記ネットワーク側機器による設定を確定することをさらに含むことが好ましい。
【００１４】
前記ユーザ機器が、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとしてデータ受信をする前に、前記ユーザ機器が、当該サブフレームを下りリンクサブフレームと特殊サブフレームとしてデータ受信をするとの前記ネットワーク側機器による設定を確定することをさらに含むことが好ましい。
【００１５】
本発明の実施例のユーザ機器は、ネットワーク側の設定に応じて対応な方式を選択して受信することができ、柔軟性が向上する。
【００１６】
前記方法は、前記ユーザ機器が、上り／下りリンクサブフレーム設定に基づくデータ受信との前記ネットワーク側機器による設定の確定後に、前記第２設定情報に基づきデータ受信をすること、又は、前記ユーザ機器が、動的サブフレーム設定に基づくデータ受信との前記ネットワーク側機器による設定の確定後に、前記第１設定情報に基づきデータ受信をすることをさらに含むことが好ましい。
【００１７】
本発明の実施例のユーザ機器は、ネットワーク側の設定に応じて対応な方式を選択して受信することができ、柔軟性が向上する。
【００１８】
前記第１設定情報は、前記第２設定情報により設定される下りリンクサブフレームを特殊サブフレームに変更させる情報及び／又は前記第２設定情報により設定される特殊サブフレームを下りリンクサブフレームに変更させる情報を含むことが好ましい。
【００１９】
本発明の実施例によるデータ送信方法は、ネットワーク側機器が、ユーザ機器に対応した、動的サブフレームに関する第１設定情報と、前記ユーザ機器に対応した、システム情報のうちの第２設定情報を確定することと、前記ネットワーク側機器が、前記第１設定情報と前記第２設定情報に基づき前記ユーザ機器にデータ送信をすることとを含む。
【００２０】
本発明の実施例のネットワーク側機器は、ユーザ機器に対応した、動的サブフレームに関する第１設定情報と、前記ユーザ機器に対応した、システム情報のうちの第２設定情報に基づき前記ユーザ機器にデータ送信をするため、ユーザ機器は、第２設定情報が既知である上で、同一サブフレーム内で、異なるフレーム構造に基づきデータ受信をし、データ受信時の資源利用率が向上する。
【００２１】
前記ネットワーク側機器が前記第１設定情報と前記第２設定情報に基づき前記ユーザ機器にデータ送信をすることは、前記ネットワーク側機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとして前記ユーザ機器にデータ送信をすること、又は、前記ネットワーク側機器が、一つのサブフレームについて、前記第１設定情報に基づき特殊サブフレームであると確定し、前記第２設定情報に基づき下りリンクサブフレームであると確定する場合に、当該サブフレームを特殊サブフレームとして前記ユーザ機器にデータ送信をすること、又は、前記ネットワーク側機器が、一つのサブフレームについて、前記第１設定情報に基づき特殊サブフレームであると確定し、前記第２設定情報に基づき特殊サブフレームであると確定する場合に、当該サブフレームを特殊サブフレームとして前記ユーザ機器にデータ送信をすること、又は、前記ネットワーク側機器が、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとして前記ユーザ機器にデータ送信をすることを含むことが好ましい。
【００２２】
本発明の実施例のネットワーク側機器は、動的サブフレームに関する第１設定情報とシステム情報のうちの第２設定情報に基づき前記ユーザ機器にデータ送信をするため、データ受信時の資源利用率が向上する。
【００２３】
前記ネットワーク側機器が当該サブフレームを下りリンクサブフレームと特殊サブフレームとして前記ユーザ機器にデータ送信をすることは、前記ネットワーク側機器が、当該サブフレームの第１資源のうちの全てのシンボル及び当該サブフレームの第２資源のうちの特殊サブフレームフォーマットの下りリンクシンボルによって、前記ユーザ機器にデータ送信をすることを含むことが好ましい。
【００２４】
前記ネットワーク側機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとして前記ユーザ機器にデータ送信をする前に、前記ネットワーク側機器が、当該サブフレームを下りリンクサブフレームとしてデータ受信をするように前記ユーザ機器に対し設定することをさらに含み、前記ネットワーク側機器が、一つのサブフレームについて、前記第１設定情報に基づき特殊サブフレームであると確定し、前記第２設定情報に基づき下りリンクサブフレームであると確定する場合に、当該サブフレームを特殊サブフレームとして前記ユーザ機器にデータ送信をする前に、前記ネットワーク側機器が、当該サブフレームを特殊サブフレームとしてデータ受信をするように前記ユーザ機器に対し設定することをさらに含むことが好ましい。
【００２５】
前記ネットワーク側機器が、一つのサブフレームについて、前記第１設定情報に基づき特殊サブフレームであると確定し、前記第２設定情報に基づき特殊サブフレームであると確定する場合に、当該サブフレームを特殊サブフレームとして前記ユーザ機器にデータ送信をする前に、前記ネットワーク側機器が、当該サブフレームを下りリンクサブフレームと特殊サブフレームとしてデータ受信をするように前記ユーザ機器に対し設定することをさらに含むことが好ましい。
【００２６】
本発明の実施例のネットワーク側機器は、ユーザ機器に対し対応な受信方式を設定することができ、柔軟性が向上する。
【００２７】
前記方法は、前記ネットワーク側機器が、前記ユーザ機器が前記第２設定情報に基づきデータ受信をするように、上り／下りリンクサブフレーム設定に基づくデータ受信を前記ユーザ機器に対し設定すること、又は、前記ネットワーク側機器が、前記ユーザ機器が前記第１設定情報に基づきデータ受信をするように、動的サブフレーム設定に基づくデータ受信を前記ユーザ機器に対し設定することをさらに含むことが好ましい。
【００２８】
本発明の実施例のネットワーク側機器は、ユーザ機器に対し対応な受信方式を設定することができ、柔軟性が向上する。
【００２９】
前記第１設定情報は、前記第２設定情報により設定される下りリンクサブフレームを特殊サブフレームに変更させる情報及び／又は前記第２設定情報により設定される特殊サブフレームを下りリンクサブフレームに変更させる情報を含むことが好ましい。
【００３０】
本発明の実施例による、データ受信をするユーザ機器において、動的サブフレームに関する第１設定情報とシステム情報のうちの第２設定情報を確定するための第１確定モジュールと、前記第１設定情報と前記第２設定情報に基づきデータ受信をするための受信モジュールとを含む。
【００３１】
本発明の実施例のユーザ機器は、動的サブフレームに関する第１設定情報とシステム情報のうちの第２設定情報に基づきデータ受信をするため、ユーザ機器にとって第２設定情報が既知である上で、同一サブフレーム内で、異なるフレーム構造に基づきデータ受信をし、データ受信時の資源利用率が向上する。
【００３２】
前記受信モジュールは、具体的に、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとしてデータ受信をすること、又は、一つのサブフレームについて、前記第１設定情報に基づき特殊サブフレームであると確定し、前記第２設定情報に基づき下りリンクサブフレームであると確定する場合に、当該サブフレームを特殊サブフレームとしてデータ受信をすること、又は、一つのサブフレームについて、前記第１設定情報に基づき特殊サブフレームであると確定し、前記第２設定情報に基づき特殊サブフレームであると確定する場合に、当該サブフレームを特殊サブフレームとしてデータ受信をすること、又は、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとしてデータ受信をすることが好ましい。
【００３３】
本発明の実施例のユーザ機器は、動的サブフレームに関する第１設定情報とシステム情報のうちの第２設定情報に基づき、サブフレームを下りリンクサブフレーム及び／又は特殊サブフレームとしてデータ受信をするため、データ受信時の資源利用率が向上する。
【００３４】
前記受信モジュールは、具体的に、当該サブフレームの第１資源のうちの全てのシンボル及び当該サブフレームの第２資源のうちの特殊サブフレームフォーマットの下りリンクシンボルによって、データ受信をすることが好ましい。
【００３５】
前記受信モジュールは、さらに、当該サブフレームを下りリンクサブフレームとしてデータ受信をするとの前記ネットワーク側機器による設定の確定後に、前記ユーザ機器が、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとしてデータ受信をすること、又は、当該サブフレームを特殊サブフレームとしてデータ受信をするとの前記ネットワーク側機器による設定の確定後に、前記ユーザ機器が、一つのサブフレームについて、前記第１設定情報に基づき特殊サブフレームであると確定し、前記第２設定情報に基づき特殊サブフレームであると確定する場合に、当該サブフレームを特殊サブフレームとしてデータ受信をすること、又は、当該サブフレームを下りリンクサブフレームと特殊サブフレームとしてデータ受信をするとの前記ネットワーク側機器による設定の確定後に、前記ユーザ機器が、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとしてデータ受信をすることが好ましい。
【００３６】
本発明の実施例のユーザ機器は、ネットワーク側の設定に応じて対応な方式を選択して受信することができ、柔軟性が向上する。
【００３７】
前記受信モジュールは、さらに、上り／下りリンクサブフレーム設定に基づくデータ受信との前記ネットワーク側機器による設定の確定後に、前記第２設定情報に基づきデータ受信をすること、又は、動的サブフレーム設定に基づくデータ受信との前記ネットワーク側機器による設定の確定後に、前記第１設定情報に基づきデータ受信をすることが好ましい。
【００３８】
前記第１設定情報は、前記第２設定情報により設定される下りリンクサブフレームを特殊サブフレームに変更させる情報及び／又は前記第２設定情報により設定される特殊サブフレームを下りリンクサブフレームに変更させる情報を含むことが好ましい。
【００３９】
本発明の実施例による、データ送信をするネットワーク側機器において、ユーザ機器に対応した、動的サブフレームに関する第１設定情報と、前記ユーザ機器に対応した、システム情報のうちの第２設定情報を確定するための第２確定モジュールと、前記第１設定情報と前記第２設定情報に基づき前記ユーザ機器にデータ送信をするための送信モジュールとを含む。
【００４０】
本発明の実施例のネットワーク側機器は、ユーザ機器に対応した、動的サブフレームに関する第１設定情報と、前記ユーザ機器に対応した、システム情報のうちの第２設定情報に基づき前記ユーザ機器にデータ送信をするため、ユーザ機器は、第２設定情報が既知である上で、同一サブフレーム内で、異なるフレーム構造に基づきデータ受信をし、データ受信時の資源利用率が向上する。
【００４１】
前記送信モジュールは、具体的に、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとして前記ユーザ機器にデータ送信をすること、又は、一つのサブフレームについて、前記第１設定情報に基づき特殊サブフレームであると確定し、前記第２設定情報に基づき下りリンクサブフレームであると確定する場合に、当該サブフレームを特殊サブフレームとして前記ユーザ機器にデータ送信をすること、又は、一つのサブフレームについて、前記第１設定情報に基づき特殊サブフレームであると確定し、前記第２設定情報に基づき特殊サブフレームであると確定する場合に、当該サブフレームを特殊サブフレームとして前記ユーザ機器にデータ送信をすること、又は、一つのサブフレームについて、前記第１設定情報に基づき下りリンクサブフレームであると確定し、前記第２設定情報に基づき特殊サブフレームであると確定する場合に、当該サブフレームを下りリンクサブフレームと特殊サブフレームとして前記ユーザ機器にデータ送信をすることが好ましい。
【００４２】
本発明の実施例のネットワーク側機器は、動的サブフレームに関する第１設定情報とシステム情報のうちの第２設定情報に基づき前記ユーザ機器にデータ送信をするため、データ受信時の資源利用率が向上する。
【００４３】
前記送信モジュールは、具体的に、当該サブフレームの第１資源のうちの全てのシンボル及び当該サブフレームの第２資源のうちの特殊サブフレームフォーマットの下りリンクシンボルによって、前記ユーザ機器にデータ送信をすることが好ましい。
【００４４】
前記送信モジュールは、さらに、当該サブフレームを下りリンクサブフレームとしてデータ受信をするように前記ユーザ機器に対し設定した後に、一つのサブフレームについて、前記第１設定情報に基づき下りリンクサブフレームであると確定し、前記第２設定情報に基づき下りリンクサブフレームであると確定する場合に、当該サブフレームを下りリンクサブフレームとして前記ユーザ機器にデータ送信をすること、又は、当該サブフレームを特殊サブフレームとしてデータ受信をするように前記ユーザ機器に対し設定した後に、一つのサブフレームについて、前記第１設定情報に基づき特殊サブフレームであると確定し、前記第２設定情報に基づき下りリンクサブフレームであると確定する場合に、当該サブフレームを特殊サブフレームとして前記ユーザ機器にデータ送信をすること、又は、当該サブフレームを下りリンクサブフレームと特殊サブフレームとしてデータ受信をするように前記ユーザ機器に対し設定した後に、一つのサブフレームについて、前記第１設定情報に基づき特殊サブフレームであると確定し、前記第２設定情報に基づき特殊サブフレームであると確定する場合に、当該サブフレームを特殊サブフレームとして前記ユーザ機器にデータ送信をすることが好ましい。
【００４５】
本発明の実施例のネットワーク側機器は、ユーザ機器に対し対応な受信方式を設定することができ、柔軟性が向上する。
【００４６】
前記送信モジュールは、さらに、前記ユーザ機器が前記第２設定情報に基づきデータ受信をするように、上り／下りリンクサブフレーム設定に基づくデータ受信を前記ユーザ機器に対し設定すること、又は、前記ユーザ機器が前記第１設定情報に基づきデータ受信をするように、動的サブフレーム設定に基づくデータ受信を前記ユーザ機器に対し設定することが好ましい。
【００４７】
前記第１設定情報は、前記第２設定情報により設定される下りリンクサブフレームを特殊サブフレームに変更させる情報及び／又は前記第２設定情報により設定される特殊サブフレームを下りリンクサブフレームに変更させる情報を含むことが好ましい。
【００４８】
本発明の実施例によるネットワーク側機器は、プロセッサとトランシーバーを含む。プロセッサは、ユーザ機器に対応した、動的サブフレームに関する第１設定情報と、前記ユーザ機器に対応した、システム情報のうちの第２設定情報を確定し、前記第１設定情報と前記第２設定情報に基づきトランシーバーで前記ユーザ機器にデータ送信する。トランシーバーは、プロセッサによる制御の元で送受信をする。
【００４９】
本発明の実施例によるユーザ機器は、プロセッサとトランシーバーを含む。プロセッサは、動的サブフレームに関する第１設定情報とシステム情報のうちの第２設定情報を確定し、前記第１設定情報と前記第２設定情報に基づきトランシーバーでデータ受信する。トランシーバーは、プロセッサによる制御の元で送受信をする。
【００５０】
本発明の実施例は、ネットワーク側機器とユーザ機器とを含むデータ受信システムである。ネットワーク側機器は、ユーザ機器に対応した、動的サブフレームに関する第１設定情報と、前記ユーザ機器に対応した、システム情報のうちの第２設定情報を確定し、前記第１設定情報と前記第２設定情報に基づき前記ユーザ機器にデータ送信をする。ユーザ機器は、動的サブフレームに関する第１設定情報とシステム情報のうちの第２設定情報を確定し、前記第１設定情報と前記第２設定情報に基づき、データ受信をする。
【発明の効果】
【００５１】
本発明の実施例のユーザ機器は、動的サブフレームに関する第１設定情報とシステム情報のうちの第２設定情報に基づきデータ受信をするため、第２設定情報が既知である上で、同一サブフレーム内で、異なるフレーム構造に基づきデータ受信をし、データ受信時の資源利用率が向上する。
【図面の簡単な説明】
【００５２】
【図１】背景技術における動的上り／下りリンクサブフレーム変化の模式図である。
【図２】本発明の実施例におけるデータ受信システムの構造模式図である。
【図３】本発明の実施例のデータ受信システムにおける第１種類のネットワーク側機器の構造模式図である。
【図４】本発明の実施例のデータ受信システムにおける第１種類のユーザ機器の構造模式図である。
【図５】本発明の実施例のデータ受信システムにおける第２種類のユーザ機器の構造模式図である。
【図６】本発明の実施例のデータ受信システムにおける第２種類のユーザ機器の構造模式図である。
【図７】本発明の実施例におけるデータ送信方法のフローチャートである。
【図８】本発明の実施例におけるデータ受信方法のフローチャートである。
【図９】本発明の実施例において、同一サブフレームで２種類方式の受信が用いられる模式図である。
【発明を実施するための形態】
【００５３】
本発明の実施例において、ユーザ機器は、動的サブフレームに関する第１設定情報とシステム情報のうちの第２設定情報を確定し、第１設定情報と第２設定情報に基づきデータ受信をする。本発明の実施例のユーザ機器は、動的サブフレームに関する第１設定情報とシステム情報のうちの第２設定情報に基づきデータ受信をするため、第２設定情報が既知である場合に、同一サブフレーム内で、異なるフレーム構造に基づきデータ受信をすることにより、データ受信時の資源利用率が向上する。
【００５４】
以下、明細書の図面を参照しながら本発明の実施例についてさらに詳細に記載する。
【００５５】
図２に示すように、本発明の実施例におけるデータ受信システムは、ネットワーク側機器１０と、ユーザ機器２０とを含む。
ネットワーク側機器１０は、ユーザ機器に対応した、動的サブフレームに関する第１設定情報と、ユーザ機器に対応した、システム情報のうちの第２設定情報を確定し、第１設定情報と第２設定情報に基づき、ユーザ機器にデータ送信をする。
ユーザ機器２０は、動的サブフレームに関する第１設定情報とシステム情報のうちの第２設定情報を確定し、第１設定情報と第２設定情報に基づきデータ受信をする。
【００５６】
実施する際に、第２設定情報は、従来システムにおけるＴＤＤでの上り／下りリンクサブフレーム設定に等しい。この部分の情報は、伝統的なユーザ機器（第１設定情報の識別ができず、第２設定情報の識別ができるユーザ機器）でも新型のユーザ機器（第１設定情報と第２設定情報の識別ができるユーザ機器）でも取得できる。
【００５７】
第１設定情報（変化後の上り／下りリンクサブフレーム設定比率）は、動的又は半静的なシグナリングにより指示され、サブフレーム設定変化頻度の具体的な要求により決まる。
【００５８】
ネットワーク側機器とユーザ機器が第１設定情報と第２設定情報に基づきデータ伝送をする方式は、多種類ある。以下、幾つかを列挙する。
【００５９】
方式１：
ネットワーク側機器は、一つのサブフレームについて、第１設定情報に基づき下りリンクサブフレームであると確定し、第２設定情報に基づき下りリンクサブフレームであると確定する場合に、サブフレームを下りリンクサブフレームとしてユーザ機器にデータ送信をする。
【００６０】
対応して、ユーザ機器は、一つのサブフレームについて、第１設定情報に基づき下りリンクサブフレームであると確定し、第２設定情報に基づき下りリンクサブフレームであると確定する場合に、サブフレームを下りリンクサブフレームとしてデータ受信をする。
【００６１】
具体的に、ネットワーク側機器は、当該サブフレームを下りリンクサブフレームとしてユーザ機器にデータ送信をする場合に、当該サブフレームにおける全てのシンボルによって、ユーザ機器にデータ送信をする。
【００６２】
対応して、ユーザ機器は、当該サブフレームを下りリンクサブフレームとしてデータ受信をする場合に、当該サブフレームにおける全てのシンボルによって、データ受信をする。
【００６３】
方式２：
ネットワーク側機器は、一つのサブフレームについて、第１設定情報に基づき特殊サブフレームであると確定し、第２設定情報に基づき下りリンクサブフレームであると確定する場合に、サブフレームを特殊サブフレームとしてユーザ機器にデータ送信をする。
【００６４】
対応して、ユーザ機器は、一つのサブフレームについて、第１設定情報に基づき特殊サブフレームであると確定し、第２設定情報に基づき下りリンクサブフレームであると確定する場合に、サブフレームを特殊サブフレームとしてデータ受信をする。
【００６５】
具体的に、ネットワーク側機器は、当該サブフレームを特殊サブフレームとしてユーザ機器にデータ送信をする場合に、当該サブフレームの特殊サブフレームフォーマットの所定の下りリンクシンボルによって、ユーザ機器にデータ送信をする。
【００６６】
対応して、ユーザ機器は、当該サブフレームを特殊サブフレームとしてデータ受信をする場合に、当該サブフレームの特殊サブフレームフォーマットの所定の下りリンクシンボルによって、データ受信をする。
【００６７】
方式３：
ネットワーク側機器は、一つのサブフレームについて、第１設定情報に基づき特殊サブフレームであると確定し、第２設定情報に基づき特殊サブフレームであると確定する場合に、サブフレームを特殊サブフレームとしてユーザ機器にデータ送信をする。
【００６８】
対応して、ユーザ機器は、一つのサブフレームについて、第１設定情報に基づき特殊サブフレームであると確定し、第２設定情報に基づき特殊サブフレームであると確定する場合に、サブフレームを特殊サブフレームとしてデータ受信をする。
【００６９】
具体的に、ネットワーク側機器は、当該サブフレームを特殊サブフレームとしてユーザ機器にデータ送信をする場合に、当該サブフレームの特殊サブフレームフォーマットの所定の下りリンクシンボルによって、ユーザ機器にデータ送信をする。
【００７０】
対応して、ユーザ機器は、当該サブフレームを特殊サブフレームとしてデータ受信をする場合に、当該サブフレームの特殊サブフレームフォーマットの所定の下りリンクシンボルによって、データ受信をする。
【００７１】
方式４：
ネットワーク側機器は、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてユーザ機器にデータ送信をする。
【００７２】
対応して、ユーザ機器は、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてデータ受信をする。
【００７３】
具体的に、ネットワーク側機器は、サブフレームの第１資源における全てのシンボル、及びサブフレームの第２資源における特殊サブフレームフォーマットの所定の下りリンクシンボルによって、ユーザ機器にデータ送信をする。
【００７４】
対応して、ユーザ機器は、サブフレームの第１資源における全てのシンボル、及びサブフレームの第２資源における特殊サブフレームフォーマットの所定の下りリンクシンボルによって、データ受信をする。
【００７５】
上述した４種類の方式は、表１に示す。
【表１】
2016535526.tif 000003
【００７６】
方式４において、ユーザ機器は、同一サブフレームで、異なるサブフレームフォーマットでのデータ受信を行う必要がある。図９において、現在の無線フレームで、サブフレームＸに１４個の直交波周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルが含まれ、当該サブフレームで物理下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）が前から２つのシンボルを占用すると仮説する。図では、システム情報により設定される特殊サブフレームは、９個のＯＦＤＭシンボル（例えば特殊サブフレーム設定＃１）を含む。ＵＥは、制御チャネルを捜索することにより、ページング情報と専用データを同時に検出すると、現在の無線フレーム内で、２種類のフレームフォーマット仮説に基づき、２つの異なる資源でそれぞれページング（資源１）と専用データ（資源２）を受信する。
【００７７】
以上は、ページングと専用データを例として説明したが、シンボルで当該２種類の情報しか伝送できないというわけではなく、必要に応じて、例えばシステム情報や他のセル共通制御情報など、他の情報を伝送することもできる。
【００７８】
実施する際に、ネットワーク側機器は、具体的にどの方式を採用するかをユーザ機器に対し設定できる。そして、ユーザ機器は、上記方式を満足し且つ当該方式の設定後に、はじめて具体的な操作を実施する。
【００７９】
設定１：
具体的に、ネットワーク側機器は、サブフレームを下りリンクサブフレームとしてデータ受信をするようにユーザ機器に対し設定する。
【００８０】
対応して、ユーザ機器は、サブフレームを下りリンクサブフレームとしてデータ受信をするとのネットワーク側機器による設定の確定後に、一つのサブフレームについて、第１設定情報に基づき下りリンクサブフレームであると確定し、第２設定情報に基づき下りリンクサブフレームであると確定する場合に、サブフレームを下りリンクサブフレームとして受信データをする。
【００８１】
設定２：
具体的に、ネットワーク側機器は、サブフレームを特殊サブフレームとしてデータ受信をするようにユーザ機器に対し設定する。
【００８２】
対応して、ユーザ機器は、サブフレームを特殊サブフレームとしてデータ受信をするとのネットワーク側機器による設定の確定後に、一つのサブフレームについて、第１設定情報に基づき特殊サブフレームであると確定し、第２設定情報に基づき特殊サブフレームであると確定する場合に、サブフレームを特殊サブフレームとして受信データをする。
【００８３】
設定３：
具体的に、ネットワーク側機器は、サブフレームを下りリンクサブフレームと特殊サブフレームとしてデータ受信をするようにユーザ機器に対し設定する。
【００８４】
対応して、ユーザ機器は、サブフレームを下りリンクサブフレームと特殊サブフレームとしてデータ受信をするとのネットワーク側機器による設定の確定後に、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとして受信データをする。
【００８５】
設定４：
好ましく、ネットワーク側機器は、ユーザ機器が第２設定情報に基づきデータ受信をするよう、上り／下りリンクサブフレーム設定に基づくデータ受信をユーザ機器に対し設定する。
【００８６】
対応して、ユーザ機器は、上り／下りリンクサブフレーム設定に基づくデータ受信とのネットワーク側機器による設定の確定後に、第２設定情報に基づきデータ受信をする。
【００８７】
設定５：
好ましく、ネットワーク側機器は、ユーザ機器が第１設定情報に基づきデータ受信をするよう、動的サブフレーム設定に基づくデータ受信をユーザ機器に対し設定する。
【００８８】
対応して、ユーザ機器は、動的サブフレーム設定に基づくデータ受信とのネットワーク側機器による設定の確定後に、第１設定情報に基づきデータ受信をする。
【００８９】
実施する際に、具体的に上述したどの方式、又は複数の方式を採用するかは、必要に応じて決まる。
【００９０】
例えば、設定３を採用する場合に、ユーザ機器は、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとして受信データをする。
【００９１】
実施する際に、ネットワーク側機器は、第１設定情報と第２設定情報を取得できるため、設定する際に、矛盾が生じるはない。例えば、設定３を採用する。一方、ユーザ機器が、一つのサブフレームについて、第１設定情報に基づき特殊サブフレームであると確定し、第２設定情報に基づき特殊サブフレームであると確定する。
【００９２】
従って、ネットワーク側機器は、ユーザ機器に対し設定する際に、第１設定情報と第２設定情報に基づきユーザ機器に対し設定することが好ましい。
【００９３】
例えば、ネットワーク側機器は、第１設定情報に基づきサブフレームが特殊サブフレームであると確定し、第２設定情報に基づきサブフレームが特殊サブフレームであると確定すると、同一の結果がユーザ機器でも得られることが分かる。この場合、設定する際に、設定２を採用するが、設定４又は設定５を採用してもよい。
【００９４】
本発明の実施例における第１設定情報は、第２設定情報により設定される下りリンクサブフレームを特殊サブフレームに変更させる情報及び／又は第２設定情報により設定される特殊サブフレームを下りリンクサブフレームに変更させる情報を含むことが好ましい。
【００９５】
例えば、第２設定情報により、サブフレーム５が下りリンクサブフレームであると設定する。この場合に、第１設定情報に含まれる情報には、サブフレーム５を特殊サブフレームに変更させる情報がある。
【００９６】
図３に示すように、本発明の実施例におけるデータ受信システムの第１種類のネットワーク側機器は、第２確定モジュール３００と送信モジュール３１０とを含む。
第２確定モジュール３００は、ユーザ機器に対応した、動的サブフレームに関する第１設定情報と、ユーザ機器に対応した、システム情報のうちの第２設定情報を確定する。
送信モジュール３１０は、第１設定情報と第２設定情報に基づきユーザ機器にデータ送信をする。
【００９７】
送信モジュール３１０は、具体的に、
一つのサブフレームについて、第１設定情報に基づき下りリンクサブフレームであると確定し、第２設定情報に基づき下りリンクサブフレームであると確定する場合に、サブフレームを下りリンクサブフレームとしてユーザ機器にデータ送信をすること、
又は、一つのサブフレームについて、第１設定情報に基づき特殊サブフレームであると確定し、第２設定情報に基づき下りリンクサブフレームであると確定する場合に、サブフレームを特殊サブフレームとしてユーザ機器にデータ送信をすること、
又は、一つのサブフレームについて、第１設定情報に基づき特殊サブフレームであると確定し、第２設定情報に基づき特殊サブフレームであると確定する場合に、サブフレームを特殊サブフレームとしてユーザ機器にデータ送信をすること、
又は、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてユーザ機器にデータ送信をすることが好ましい。
【００９８】
送信モジュール３１０は、具体的に、サブフレームの第１資源のうちの全てのシンボル及びサブフレームの第２資源のうちの特殊サブフレームフォーマットの下りリンクシンボルによって、ユーザ機器にデータ送信をすることが好ましい。
【００９９】
送信モジュール３１０は、具体的に、
サブフレームを下りリンクサブフレームとしてデータ受信をするようにユーザ機器に対し設定した後に、一つのサブフレームについて、第１設定情報に基づき下りリンクサブフレームであると確定し、第２設定情報に基づき下りリンクサブフレームであると確定する場合に、サブフレームを下りリンクサブフレームとしてユーザ機器にデータ送信をすること、
又は、サブフレームを特殊サブフレームとしてデータ受信をするようにユーザ機器に対し設定した後に、一つのサブフレームについて、第１設定情報に基づき特殊サブフレームであると確定し、第２設定情報に基づき下りリンクサブフレームであると確定する場合に、サブフレームを特殊サブフレームとしてユーザ機器にデータ送信をすること、
又は、サブフレームを下りリンクサブフレームと特殊サブフレームとしてデータ受信をするようにユーザ機器に対し設定した後に、一つのサブフレームについて、第１設定情報に基づき特殊サブフレームであると確定し、第２設定情報に基づき特殊サブフレームであると確定する場合に、サブフレームを特殊サブフレームとしてユーザ機器にデータ送信をすることが好ましい。
【０１００】
送信モジュール３１０は、さらに、ユーザ機器が第２設定情報に基づきデータ受信をするよう、上り／下りリンクサブフレーム設定に基づくデータ受信をユーザ機器に対し設定すること、又は、ユーザ機器が第１設定情報に基づきデータ受信をするよう、動的サブフレーム設定に基づくデータ受信をユーザ機器に対し設定することが好ましい。
【０１０１】
第１設定情報は、第２設定情報により設定される下りリンクサブフレームを特殊サブフレームに変更させる情報及び／又は第２設定情報により設定される特殊サブフレームを下りリンクサブフレームに変更させる情報を含むことが好ましい。
【０１０２】
図４に示すように、本発明の実施例におけるデータ受信システムの第１種類のユーザ機器は、第１確定モジュール４００と受信モジュール４１０とを含む。
第１確定モジュール４００は、動的サブフレームに関する第１設定情報とシステム情報のうちの第２設定情報を確定する。
受信モジュール４１０は、第１設定情報と第２設定情報に基づきデータ受信をする。
【０１０３】
受信モジュール４１０は、具体的に、
一つのサブフレームについて、第１設定情報に基づき下りリンクサブフレームであると確定し、第２設定情報に基づき下りリンクサブフレームであると確定する場合に、サブフレームを下りリンクサブフレームとしてデータ受信をすること、
又は、一つのサブフレームについて、第１設定情報に基づき特殊サブフレームであると確定し、第２設定情報に基づき下りリンクサブフレームであると確定する場合に、サブフレームを特殊サブフレームとしてデータ受信をすること、
又は、一つのサブフレームについて、第１設定情報に基づき特殊サブフレームであると確定し、第２設定情報に基づき特殊サブフレームであると確定する場合に、サブフレームを特殊サブフレームとしてデータ受信をすること、
又は、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてデータ受信をすることが好ましい。
【０１０４】
受信モジュール４１０は、具体的に、サブフレームの第１資源のうちの全てのシンボル及びサブフレームの第２資源のうちの特殊サブフレームフォーマットの下りリンクシンボルによって、データ受信をすることが好ましい。
【０１０５】
受信モジュール４１０は、さらに、
サブフレームを下りリンクサブフレームとしてデータ受信をするとのネットワーク側機器による設定の確定後に、一つのサブフレームについて、第１設定情報に基づき下りリンクサブフレームであると確定し、第２設定情報に基づき下りリンクサブフレームであると確定する場合に、サブフレームを下りリンクサブフレームとしてデータ受信をすること、
又は、サブフレームを特殊サブフレームとしてデータ受信をするとのネットワーク側機器による設定の確定後に、一つのサブフレームについて、第１設定情報に基づき特殊サブフレームであると確定し、第２設定情報に基づき特殊サブフレームであると確定する場合に、サブフレームを特殊サブフレームとしてデータ受信をすること、
又は、サブフレームを下りリンクサブフレームと特殊サブフレームとしてデータ受信をするとのネットワーク側機器による設定の確定後に、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてデータ受信をすることが好ましい。
【０１０６】
受信モジュール４１０は、さらに、上り／下りリンクサブフレーム設定に基づくデータ受信とのネットワーク側機器による設定の確定後に、第２設定情報に基づきデータ受信をすること、又は、動的サブフレーム設定に基づくデータ受信とのネットワーク側機器による設定の確定後に、第１設定情報に基づきデータ受信をすることが好ましい。
【０１０７】
第１設定情報は、第２設定情報により設定される下りリンクサブフレームを特殊サブフレームに変更させる情報及び／又は第２設定情報により設定される特殊サブフレームを下りリンクサブフレームに変更させる情報を含むことが好ましい。
【０１０８】
図５に示すように、本発明の実施例におけるデータ受信システムのネットワーク側機器は、プロセッサ５００とトランシーバー５１０とを含む。
プロセッサ５００は、ユーザ機器に対応した、動的サブフレームに関する第１設定情報と、ユーザ機器に対応した、システム情報のうちの第２設定情報を確定し、第１設定情報と第２設定情報に基づき、トランシーバー５１０でユーザ機器にデータ送信をする。
トランシーバー５１０は、プロセッサ５００による制御の元でデータを送受信する。
【０１０９】
プロセッサ５００は、具体的に、
一つのサブフレームについて、第１設定情報に基づき下りリンクサブフレームであると確定し、第２設定情報に基づき下りリンクサブフレームであると確定する場合に、サブフレームを下りリンクサブフレームとしてトランシーバー５１０でユーザ機器にデータ送信をすること、
又は、一つのサブフレームについて、第１設定情報に基づき特殊サブフレームであると確定し、第２設定情報に基づき下りリンクサブフレームであると確定する場合に、サブフレームを特殊サブフレームとしてトランシーバー５１０でユーザ機器にデータ送信をすること、
又は、一つのサブフレームについて、第１設定情報に基づき特殊サブフレームであると確定し、第２設定情報に基づき特殊サブフレームであると確定する場合に、サブフレームを特殊サブフレームとしてトランシーバー５１０でユーザ機器にデータ送信をすること、
又は、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてトランシーバー５１０でユーザ機器にデータ送信をすることが好ましい。
【０１１０】
プロセッサ５００は、具体的に、サブフレームの第１資源のうちの全てのシンボル及びサブフレームの第２資源のうちの特殊サブフレームフォーマットの下りリンクシンボルによって、トランシーバー５１０でユーザ機器にデータ送信をすることが好ましい。
【０１１１】
プロセッサ５００は、具体的に、
サブフレームを下りリンクサブフレームとしてデータ受信をするようにユーザ機器に対し設定した後に、一つのサブフレームについて、第１設定情報に基づき下りリンクサブフレームであると確定し、第２設定情報に基づき下りリンクサブフレームであると確定する場合に、サブフレームを下りリンクサブフレームとしてトランシーバー５１０でユーザ機器にデータ送信をすること、
又は、サブフレームを特殊サブフレームとしてデータ受信をするようにユーザ機器に対し設定した後に、一つのサブフレームについて、第１設定情報に基づき特殊サブフレームであると確定し、第２設定情報に基づき下りリンクサブフレームであると確定する場合に、サブフレームを特殊サブフレームとしてトランシーバー５１０でユーザ機器にデータ送信をすること、
又は、サブフレームを下りリンクサブフレームと特殊サブフレームとしてデータ受信をするようにユーザ機器に対し設定した後に、一つのサブフレームについて、第１設定情報に基づき特殊サブフレームであると確定し、第２設定情報に基づき特殊サブフレームであると確定する場合に、サブフレームを特殊サブフレームとしてトランシーバー５１０でユーザ機器にデータ送信をすることが好ましい。
【０１１２】
プロセッサ５００は、さらに、ユーザ機器が第２設定情報に基づきデータ受信をするよう、上り／下りリンクサブフレーム設定に基づくデータ受信をユーザ機器に対し設定すること、又は、ユーザ機器が第１設定情報に基づきデータ受信をするよう、動的サブフレーム設定に基づくデータ受信をユーザ機器に対し設定することが好ましい。
【０１１３】
第１設定情報は、第２設定情報により設定される下りリンクサブフレームを特殊サブフレームに変更させる情報及び／又は第２設定情報により設定される特殊サブフレームを下りリンクサブフレームに変更させる情報を含むことが好ましい。
【０１１４】
図５において、バスアーキテクチャは、任意数の相互接続するバスとブリッジを含み、具体的に、プロセッサ５００をはじめとする１つ又は複数のプロセサとメモリ５２０をはじめとするメモリの各種類の回路が接続したものである。バスアーキテクチャは、周辺機器、マノスタット、電力管理回路などの各種類のほかの回路を接続したものであってもよい。これらは、いずれも本分野の公知事項であり、本文においてさらなる記載をしない。バスインタフェースにより、インタフェースが提供される。トランシーバー５１０は、複数の部品であってもよく、即ち送信機と受信機を含み、伝送媒体でほかの各種類の装置と通信するユニットとして提供される。プロセッサ５００は、バスアーキテクチャと通常の処理を管理する。メモリ５２０は、プロセッサ５００による作業時に使用されるデータを記憶できる。
プロセッサ５００は、バスアーキテクチャと通常の処理を管理する。メモリ５２０は、プロセッサ５００による作業時に使用されるデータを記憶できる。
【０１１５】
図６に示すように、本発明の実施例におけるデータ受信システムの第２種類のユーザ機器は、プロセッサ６００とトランシーバー６１０とを含む。
プロセッサ６００は、動的サブフレームに関する第１設定情報とシステム情報のうちの第２設定情報を確定し、第１設定情報と第２設定情報に基づき、トランシーバー６１０でデータ受信をする。
トランシーバー６１０は、プロセッサ６００による制御の元でデータを送受信する。
【０１１６】
プロセッサ６００は、具体的に、
一つのサブフレームについて、第１設定情報に基づき下りリンクサブフレームであると確定し、第２設定情報に基づき下りリンクサブフレームであると確定する場合に、サブフレームを下りリンクサブフレームとしてプロセッサ６００でデータ受信をすること、
又は、一つのサブフレームについて、第１設定情報に基づき特殊サブフレームであると確定し、第２設定情報に基づき下りリンクサブフレームであると確定する場合に、サブフレームを特殊サブフレームとしてプロセッサ６００でデータ受信をすること、
又は、一つのサブフレームについて、第１設定情報に基づき特殊サブフレームであると確定し、第２設定情報に基づき特殊サブフレームであると確定する場合に、サブフレームを特殊サブフレームとしてプロセッサ６００でデータ受信をすること、
又は、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてプロセッサ６００でデータ受信をすることが好ましい。
【０１１７】
プロセッサ６００は、具体的に、サブフレームの第１資源のうちの全てのシンボル及びサブフレームの第２資源のうちの特殊サブフレームフォーマットの下りリンクシンボルによって、プロセッサ６００でデータ受信をすることが好ましい。
【０１１８】
プロセッサ６００は、さらに、
サブフレームを下りリンクサブフレームとしてデータ受信をするとのネットワーク側機器による設定の確定後に、一つのサブフレームについて、第１設定情報に基づき下りリンクサブフレームであると確定し、第２設定情報に基づき下りリンクサブフレームであると確定する場合に、サブフレームを下りリンクサブフレームとしてプロセッサ６００でデータ受信をすること、
又は、サブフレームを特殊サブフレームとしてデータ受信をするとのネットワーク側機器による設定の確定後に、一つのサブフレームについて、第１設定情報に基づき特殊サブフレームであると確定し、第２設定情報に基づき特殊サブフレームであると確定する場合に、サブフレームを特殊サブフレームとしてプロセッサ６００でデータ受信をすること、
又は、サブフレームを下りリンクサブフレームと特殊サブフレームとしてデータ受信をするとのネットワーク側機器による設定の確定後に、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてプロセッサ６００でデータ受信をすることが好ましい。
【０１１９】
プロセッサ６００は、さらに、上り／下りリンクサブフレーム設定に基づくデータ受信とのネットワーク側機器による設定の確定後に、第２設定情報に基づきデータ受信をすること、又は、動的サブフレーム設定に基づくデータ受信とのネットワーク側機器による設定の確定後に、第１設定情報に基づきプロセッサ６００でデータ受信をすることが好ましい。
【０１２０】
第１設定情報は、第２設定情報により設定される下りリンクサブフレームを特殊サブフレームに変更させる情報及び／又は第２設定情報により設定される特殊サブフレームを下りリンクサブフレームに変更させる情報を含むことが好ましい。
【０１２１】
図６において、バスアーキテクチャは、任意数の相互接続するバスとブリッジを含み、具体的に、プロセッサ６００をはじめとする１つ又は複数のプロセサとメモリ６２０をはじめとするメモリの各種類の回路が接続したものである。バスアーキテクチャは、周辺機器、マノスタット、電力管理回路などの各種類のほかの回路を接続したものであってもよい。これらは、いずれも本分野の公知事項であり、本文において更なる記載をしない。バスインタフェースにより、インタフェースが提供される。トランシーバー６１０は、複数の部品であってもよく、即ち送信機と受信機を含み、伝送媒体でほかの各種類の装置と通信するユニットとして提供される。ユーザ機器によっては、ユーザインタフェース６３０は、内部接続や外部接続する機器のインタフェースであってもよい。接続する機器は、キーパッド、ディスプレイ、スピーカ、マイクロフォン、コントローラなどを含むが、それらに限られない。
プロセッサ６００は、バスアーキテクチャと通常の処理を管理する。メモリ６２０は、プロセッサ６００による作業時に使用されるデータを記憶できる。
【０１２２】
同一の発明思想に基づき、本発明の実施例は、データ送信方法とデータ受信方法をさらに提供する。これらの方法に対応する機器は、本発明の実施例のデータ受信システムにおける機器であり、しかも方法により問題を解決する原理がシステムに似ている。従って、当該方法の実施について、システムの実施を参照し、繰り返した説明を避ける。
【０１２３】
図７に示すように、本発明の実施例のデータ送信方法は、以下のステップを含む。
ステップ７１０において、ユーザ機器は、動的サブフレームに関する第１設定情報とシステム情報のうちの第２設定情報を確定する。
ステップ７２０において、ユーザ機器は、第１設定情報と第２設定情報に基づきデータ受信をする。
【０１２４】
ユーザ機器が第１設定情報と第２設定情報に基づきデータ受信をすることは、
ユーザ機器が、一つのサブフレームについて、第１設定情報に基づき下りリンクサブフレームであると確定し、第２設定情報に基づき下りリンクサブフレームであると確定する場合に、サブフレームを下りリンクサブフレームとしてデータ受信をすること、
又は、ユーザ機器が、一つのサブフレームについて、第１設定情報に基づき特殊サブフレームであると確定し、第２設定情報に基づき下りリンクサブフレームであると確定する場合に、サブフレームを特殊サブフレームとしてデータ受信をすること、
又は、ユーザ機器が、一つのサブフレームについて、第１設定情報に基づき特殊サブフレームであると確定し、第２設定情報に基づき特殊サブフレームであると確定する場合に、サブフレームを特殊サブフレームとしてデータ受信をすること、
又は、ユーザ機器が、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてデータ受信をすることを含むことが好ましい。
【０１２５】
ユーザ機器がサブフレームを下りリンクサブフレームと特殊サブフレームとしてデータ受信をすることは、ユーザ機器が、サブフレームの第１資源のうちの全てのシンボル及びサブフレームの第２資源のうちの特殊サブフレームフォーマットの下りリンクシンボルによって、データ受信をすることを含むことが好ましい。
【０１２６】
ユーザ機器が、一つのサブフレームについて、第１設定情報に基づき下りリンクサブフレームであると確定し、第２設定情報に基づき下りリンクサブフレームであると確定する場合に、サブフレームを下りリンクサブフレームとしてデータ受信をする前に、
ユーザ機器が、サブフレームを下りリンクサブフレームとしてデータ受信をするとのネットワーク側機器による設定を確定することをさらに含むことが好ましい。
ユーザ機器が、一つのサブフレームについて、第１設定情報に基づき特殊サブフレームであると確定し、第２設定情報に基づき特殊サブフレームであると確定する場合に、サブフレームを特殊サブフレームとしてデータ受信をする前に、
ユーザ機器が、サブフレームを特殊サブフレームとしてデータ受信をするとのネットワーク側機器による設定を確定することをさらに含むことが好ましい。
【０１２７】
ユーザ機器が、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてデータ受信をする前に、
ユーザ機器が、当該サブフレームを下りリンクサブフレームと特殊サブフレームとしてデータ受信をするとのネットワーク側機器による設定を確定することをさらに含むことが好ましい。
【０１２８】
当該方法は、
ユーザ機器が、上り／下りリンクサブフレーム設定に基づくデータ受信とのネットワーク側機器による設定の確定後に、第２設定情報に基づきデータ受信をすること、
又は、ユーザ機器が、動的サブフレーム設定に基づくデータ受信とのネットワーク側機器による設定の確定後に、第１設定情報に基づきデータ受信をすることをさらに含むことが好ましい。
【０１２９】
第１設定情報は、第２設定情報により設定される下りリンクサブフレームを特殊サブフレームに変更させる情報及び／又は第２設定情報により設定される特殊サブフレームを下りリンクサブフレームに変更させる情報を含むことが好ましい。
【０１３０】
図８に示すように、本発明の実施例のデータ受信方法は、以下のステップを含む。
ステップ８１０において、ネットワーク側機器は、ユーザ機器に対応した、動的サブフレームに関する第１設定情報と、ユーザ機器に対応した、システム情報のうちの第２設定情報を確定する。
ステップ８２０において、ネットワーク側機器は、第１設定情報と第２設定情報に基づきユーザ機器にデータ送信をする。
【０１３１】
ネットワーク側機器が第１設定情報と第２設定情報に基づきユーザ機器にデータ送信をすることは、
ネットワーク側機器が、一つのサブフレームについて、第１設定情報に基づき下りリンクサブフレームであると確定し、第２設定情報に基づき下りリンクサブフレームであると確定する場合に、サブフレームを下りリンクサブフレームとしてユーザ機器にデータ送信をすること、
又は、ネットワーク側機器が、一つのサブフレームについて、第１設定情報に基づき特殊サブフレームであると確定し、第２設定情報に基づき下りリンクサブフレームであると確定する場合に、サブフレームを特殊サブフレームとしてユーザ機器にデータ送信をすること、
又は、ネットワーク側機器が、一つのサブフレームについて、第１設定情報に基づき特殊サブフレームであると確定し、第２設定情報に基づき特殊サブフレームであると確定する場合に、サブフレームを特殊サブフレームとしてユーザ機器にデータ送信をすること、
又は、ネットワーク側機器が、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてユーザ機器にデータ送信をすることを含むことが好ましい。
【０１３２】
ネットワーク側機器が当該サブフレームを下りリンクサブフレームと特殊サブフレームとしてユーザ機器にデータ送信をすることは、ネットワーク側機器が、サブフレームの第１資源のうちの全てのシンボル及びサブフレームの第２資源のうちの特殊サブフレームフォーマットの下りリンクシンボルによって、ユーザ機器にデータ送信をすることを含むことが好ましい。
【０１３３】
ネットワーク側機器が、一つのサブフレームについて、第１設定情報に基づき下りリンクサブフレームであると確定し、第２設定情報に基づき下りリンクサブフレームであると確定する場合に、サブフレームを下りリンクサブフレームとしてユーザ機器にデータ送信をする前に、
ネットワーク側機器が、サブフレームを下りリンクサブフレームとしてデータ受信をするようにユーザ機器に対し設定することをさらに含むことが好ましい。
ネットワーク側機器が、一つのサブフレームについて、第１設定情報に基づき特殊サブフレームであると確定し、第２設定情報に基づき下りリンクサブフレームであると確定する場合に、サブフレームを特殊サブフレームとしてユーザ機器にデータ送信をする前に、
ネットワーク側機器が、当該サブフレームを特殊サブフレームとしてデータ受信をするようにユーザ機器に対し設定することをさらに含むことが好ましい。
【０１３４】
ネットワーク側機器が、一つのサブフレームについて、第１設定情報に基づき特殊サブフレームであると確定し、第２設定情報に基づき特殊サブフレームであると確定する場合に、サブフレームを特殊サブフレームとしてユーザ機器にデータ送信をする前に、
ネットワーク側機器が、サブフレームを下りリンクサブフレームと特殊サブフレームとしてデータ受信をするようにユーザ機器に対し設定することをさらに含むことが好ましい。
【０１３５】
当該方法は、
ユーザ機器が第２設定情報に基づきデータ受信をするよう、ネットワーク側機器が、上り／下りリンクサブフレーム設定に基づくデータ受信をユーザ機器に対し設定すること、
又は、ユーザ機器が第１設定情報に基づきデータ受信をするように、ネットワーク側機器が、動的サブフレーム設定に基づくデータ受信をユーザ機器に対し設定することをさらに含むことが好ましい。
【０１３６】
第１設定情報は、第２設定情報により設定される下りリンクサブフレームを特殊サブフレームに変更させる情報及び／又は第２設定情報により設定される特殊サブフレームを下りリンクサブフレームに変更させる情報を含むことが好ましい。
【０１３７】
なお、図７と図８の流れを一つのものにし、データ受信方法としてもよい。即ち、ステップ７２０を実行してからステップ８２０を実行し、ステップ７１０とステップ８１０との間に必然的な時間順がなく、ステップ７１０がステップ７２０より前であり、ステップ８１０がステップ８２０より前であることを保証すればよい。
【０１３８】
本発明の実施例は、方法、システム、又はコンピュータプログラムプロダクトとして提供されうると当業者が理解できる。従って、本発明は、完全ハードウェアの実施例、完全ソフトウェアの実施例、又はソフトウェアとハードウェアを組み合わせた実施例の形態を取り得る。しかも、本発明は、コンピュータ利用可能プログラムコードを含む１つ又は複数のコンピュータ利用可能記憶媒体（磁気ディスクメモリ、ＣＤ−ＲＯＭ、光学メモリなどを含むが、それらに限らない）で実施されるコンピュータプログラムプロダクトの形態を取り得る。
【０１３９】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを通用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【０１４０】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１４１】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１４２】
本発明の好ましい実施例を記載したが、当業者は、いったん創造性を持つ基本的概念を知ると、これらの実施例について別途に変更や修正をすることができる。従って、添付する請求項は、好ましい実施例、及び、本発明の範囲にカバーされる全ての変更や修正を含むものであると解釈されることを意図とする。
【０１４３】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
2016535526.tif 000004
【図２】
2016535526.tif 000005
【図３】
2016535526.tif 000006
【図４】
2016535526.tif 000007
【図５】
2016535526.tif 000008
【図６】
2016535526.tif 000009
【図７】
2016535526.tif 000010
【図８】
2016535526.tif 000011
【図９】
2016535526.tif 000012
【手続補正書】
【提出日】平成28年2月26日(2016.2.26)
【手続補正１】
【補正対象書類名】明細書
【補正対象項目名】００５２
【補正方法】変更
【補正の内容】
【００５２】
【図１】背景技術における動的上り／下りリンクサブフレーム変化の模式図である。
【図２】本発明の実施例におけるデータ受信システムの構造模式図である。
【図３】本発明の実施例のデータ受信システムにおける第１種類のネットワーク側機器の構造模式図である。
【図４】本発明の実施例のデータ受信システムにおける第１種類のユーザ機器の構造模式図である。
【図５】本発明の実施例のデータ受信システムにおける第２種類のネットワーク側機器の構造模式図である。
【図６】本発明の実施例のデータ受信システムにおける第２種類のユーザ機器の構造模式図である。
【図７】本発明の実施例におけるデータ受信方法のフローチャートである。
【図８】本発明の実施例におけるデータ送信方法のフローチャートである。
【図９】本発明の実施例において、同一サブフレームで２種類方式の受信が用いられる模式図である。
【手続補正２】
【補正対象書類名】明細書
【補正対象項目名】０１１４
【補正方法】変更
【補正の内容】
【０１１４】
図５において、バスアーキテクチャは、任意数の相互接続するバスとブリッジを含み、具体的に、プロセッサ５００をはじめとする１つ又は複数のプロセサとメモリ５２０をはじめとするメモリの各種類の回路が接続したものである。バスアーキテクチャは、周辺機器、マノスタット、電力管理回路などの各種類のほかの回路を接続したものであってもよい。これらは、いずれも本分野の公知事項であり、本文においてさらなる記載をしない。バスインタフェースにより、インタフェースが提供される。トランシーバー５１０は、複数の部品であってもよく、即ち送信機と受信機を含み、伝送媒体でほかの各種類の装置と通信するユニットとして提供される。
プロセッサ５００は、バスアーキテクチャと通常の処理を管理する。メモリ５２０は、プロセッサ５００による作業時に使用されるデータを記憶できる。
【手続補正３】
【補正対象書類名】明細書
【補正対象項目名】０１１６
【補正方法】変更
【補正の内容】
【０１１６】
プロセッサ６００は、具体的に、
一つのサブフレームについて、第１設定情報に基づき下りリンクサブフレームであると確定し、第２設定情報に基づき下りリンクサブフレームであると確定する場合に、サブフレームを下りリンクサブフレームとしてトランシーバー６１０でデータ受信をすること、
又は、一つのサブフレームについて、第１設定情報に基づき特殊サブフレームであると確定し、第２設定情報に基づき下りリンクサブフレームであると確定する場合に、サブフレームを特殊サブフレームとしてトランシーバー６１０でデータ受信をすること、
又は、一つのサブフレームについて、第１設定情報に基づき特殊サブフレームであると確定し、第２設定情報に基づき特殊サブフレームであると確定する場合に、サブフレームを特殊サブフレームとしてトランシーバー６１０でデータ受信をすること、
又は、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてトランシーバー６１０でデータ受信をすることが好ましい。
【手続補正４】
【補正対象書類名】明細書
【補正対象項目名】０１１７
【補正方法】変更
【補正の内容】
【０１１７】
プロセッサ６００は、具体的に、サブフレームの第１資源のうちの全てのシンボル及びサブフレームの第２資源のうちの特殊サブフレームフォーマットの下りリンクシンボルによって、トランシーバー６１０でデータ受信をすることが好ましい。
【手続補正５】
【補正対象書類名】明細書
【補正対象項目名】０１１８
【補正方法】変更
【補正の内容】
【０１１８】
プロセッサ６００は、さらに、
サブフレームを下りリンクサブフレームとしてデータ受信をするとのネットワーク側機器による設定の確定後に、一つのサブフレームについて、第１設定情報に基づき下りリンクサブフレームであると確定し、第２設定情報に基づき下りリンクサブフレームであると確定する場合に、サブフレームを下りリンクサブフレームとしてトランシーバー６１０でデータ受信をすること、
又は、サブフレームを特殊サブフレームとしてデータ受信をするとのネットワーク側機器による設定の確定後に、一つのサブフレームについて、第１設定情報に基づき特殊サブフレームであると確定し、第２設定情報に基づき特殊サブフレームであると確定する場合に、サブフレームを特殊サブフレームとしてトランシーバー６１０でデータ受信をすること、
又は、サブフレームを下りリンクサブフレームと特殊サブフレームとしてデータ受信をするとのネットワーク側機器による設定の確定後に、一つのサブフレームについて、第１設定情報に基づき下りリンクサブフレームであると確定し、第２設定情報に基づき特殊サブフレームであると確定する場合に、サブフレームを下りリンクサブフレームと特殊サブフレームとしてトランシーバー６１０でデータ受信をすることが好ましい。
【手続補正６】
【補正対象書類名】明細書
【補正対象項目名】０１１９
【補正方法】変更
【補正の内容】
【０１１９】
プロセッサ６００は、さらに、上り／下りリンクサブフレーム設定に基づくデータ受信とのネットワーク側機器による設定の確定後に、第２設定情報に基づきデータ受信をすること、又は、動的サブフレーム設定に基づくデータ受信とのネットワーク側機器による設定の確定後に、第１設定情報に基づきトランシーバー６１０でデータ受信をすることが好ましい。
【手続補正７】
【補正対象書類名】明細書
【補正対象項目名】０１２３
【補正方法】変更
【補正の内容】
【０１２３】
図７に示すように、本発明の実施例のデータ受信方法は、以下のステップを含む。
ステップ７１０において、ユーザ機器は、動的サブフレームに関する第１設定情報とシステム情報のうちの第２設定情報を確定する。
ステップ７２０において、ユーザ機器は、第１設定情報と第２設定情報に基づきデータ受信をする。
【手続補正８】
【補正対象書類名】明細書
【補正対象項目名】０１３０
【補正方法】変更
【補正の内容】
【０１３０】
図８に示すように、本発明の実施例のデータ送信方法は、以下のステップを含む。
ステップ８１０において、ネットワーク側機器は、ユーザ機器に対応した、動的サブフレームに関する第１設定情報と、ユーザ機器に対応した、システム情報のうちの第２設定情報を確定する。
ステップ８２０において、ネットワーク側機器は、第１設定情報と第２設定情報に基づきユーザ機器にデータ送信をする。

【国際調査報告】
2016535526.tif 000013
2016535526.tif 000014
2016535526.tif 000015
2016535526.tif 000016